(57)【特許請求の範囲】
【請求項１】
厚み方向に延びる第１の内壁面と該第１の内壁面に直交する第２の内壁面と該第２の内壁面に対向して平行に延びる第３の壁面とを有し磁気記録媒体を収納するケースと、前記ケースの内側に折り曲げられた状態で装着される矩形状の展開形状を有するインデックスカードとを備えたインデックスカード付きケースであって、
前記インデックスカードが、前記ケースの第１の内壁面に沿う第１の幅狭部と、前記ケースの第２の内壁面に沿う前記第１の幅狭部に連設された第１の幅広部と、前記第１の幅広部に対して前記第１の幅狭部とは反対側の端部に連設された第２の幅広部と、前記第２の幅広部に対して前記第１の幅広部とは反対側の端部に連設された第２の幅狭部とを備え、また、前記第３の壁面に沿う第３の幅狭部が、前記第１の幅狭部に対して前記第１の幅広部とは反対側の端部に連設されているとともに、第４の幅狭部が前記第２の幅狭部に対して前記第２の幅広部とは反対側の端部に連設され、
前記第１の幅広部と前記第２の幅広部との境界線を折り曲げ線として折り曲げたときに、前記第２の幅広部が前記第１の幅広部に、かつ前記第２の幅狭部が前記第１の幅狭部にそれぞれ重なり合うように、かつ前記第３の幅狭部が前記第４の幅狭部と重なり合うように各部分を各境界線に沿って折り曲げて成り、
前記第３の幅狭部が、隣接する前記第１の幅狭部と反対側の端部に折り曲げ部を連設し、該折り曲げ部がその境界線に沿って折り曲げられたとき、前記第４の幅狭部の外側端部を抱え込むように挟持することを特徴とするインデックスカード付きケース。
【請求項２】
前記折り曲げ線上にミシン目を設けたことを特徴とする請求項１に記載のインデックスカード付きケース。
【発明の詳細な説明】
【０００１】
【産業上の利用分野】
本発明は、オーディオテープカセットやビデオテープカセット、あるいはフロッピィディスクカセット等の磁気記録媒体を収納するケースの内壁面に沿うように配設され、かつ前記磁気記録媒体に記録されている内容が記載されるインデックスカードに関し、より詳しくはワードプロセッサやパーソナルコンピュータのプリンタを用いて印字する際にも全面にわたって印字することができるように改良されたインデックスカードに関する。
【０００２】
【従来の技術】
従来より、磁気テープに音声や画像を収録するオーディオテープカセットやビデオテープカセット、あるいは円盤状の磁気ディスクにコンピュータやワードプロセッサ等のデータを記録する磁気ディスクカートリッジ等の磁気記録媒体が使用されている。この磁気記録媒体は通常、収納ケースに収納されて磁気テープや磁気ディスクに埃が付着しないように保存するようにされている。
そして、前記収納ケースは多くの場合、透明または半透明の樹脂材料等から成形されて、その内壁面に沿うように配設されるインデックスカードに記載された磁気記録媒体の記録内容等を、必要に応じて収納ケースの外側から読むことができるようにされている。
【０００３】
このようなインデックスカードについて例を上げて説明すると、図７に示す収納ケース１（想像線にて示す）は例えば３．５インチの磁気ディスクカートリッジを収納する透明若しくは半透明のもので、周知のごとくカートリッジ挿入用のポケット部分を有する一方の蓋部と他方のケーシング部（ケース本体）とが枢着部１５を介して開閉自在に構成されたもので、前記蓋部の内側には矩形状の展開形状を有する紙を略コ字形に折り曲げて成形したインデックスカード５が装着されている。
前記インデックスカード５は、前記収納ケース１の厚み方向に延びる第１の壁面２に沿う第１の幅狭部６と、前記第１の壁面２に直交して前記収納ケース１の幅方向に延びる第２の内壁面３に沿う前記幅狭部６に連設された幅広部７と、前記第２の内壁面３に対向して平行に延びる第３の内壁面４に沿う前記第１の幅狭部６に連設された第２の幅狭部８の３つの部分を備え、各部分の境界線を折り曲げ線としてコ字形に折り曲げることにより成形されたものである。
【０００４】
一方、図８に示す収納ケース９は例えばビデオテープカセットを矢印Ｘ方向から挿入できるブック型の透明若しくは半透明のもので、その内側には矩形状の展開形状を有する紙を略Ｌ字形に折り曲げて成形したインデックスカード１２が装着されている。
そして、前記インデックスカード１２は、前記収納ケース９の厚み方向に延びる第１の壁面１０に沿う第１の幅狭部１３と、前記第１の壁面１０に直交して収納ケース９の幅方向に延びる第２の内壁面１１に沿う前記幅狭部１３６に連設された幅広部１４の２つの部分を備え、その境界線を折り曲げ線としてＬ字形に折り曲げることにより成形されたものである。
【０００５】
一方、上述した各インデックスカードに磁気記録媒体に記録されている内容等を記載するにあたっては、従来は、サインペン等の筆記用具を用いて手で直接筆記したり、あるいはシール上の文字をこすって転写するインスタントレタリングを用いて描いたりする方法が一般的に用いられていた。
【０００６】
【発明が解決しようとする課題】
ところが、近年、ワードプロセッサ（以下、「ワープロ」という）やパーソナルコンピュータ（以下、「パソコン」という）が一般家庭にも広く普及するようになってきたことに伴い、オーディオテープカセットやＶＴＲカセットに収録されている曲名や収録内容等を、ワープロやパソコンを用いて、より美麗にかつ多量にインデックスカードに印刷しようとするユーザーが増えてきているのが現状である。
しかしながら、ワープロやパソコンのプリンタにおいては、その紙押さえ機構や紙送り機構上の制約から、印字しようとする紙の下端部分約１５ミリ前後の範囲には印字することができない。
【０００７】
したがって、図９に示すように、展開した前記インデックスカード５の第１の幅狭部６から前記幅広部７にかけてワープロやパソコンのプリンタを用いて印字しようとすると、幅広部７の下端部分にハッチングを付して示した部分には印字することができず、空白部分１６となってしまう。
これにより、従来の前記インデックスカード５にワープロやパソコンのプリンタを用いて印字することができる情報量が限られることとなって不都合であるばかりでなく、空白部分が生じて美観を損なうという問題点がある。
さらには、前記インデックスカード５の裏面に印字しようとする際には、該インデックスカード５をプリンタから一旦取り外すとともに、裏面が表側となるようにプリンタに再セットしなければならず、使い勝手が悪い。
【０００８】
そこで、インデックスカードの幅広部を延長するとともに、この延長部分を例えばミシン目により切り放すことができるインデックスカードを使用したものがある。
しかしながら、このインデックスカードにおいては、プリンタを用いてインデックスカードの幅広部本体部分の下端まで印字することができるものの、結局、延長部分にはその下端部まで印字することができないので、延長部分を切り放して捨てることとなり、紙を有効に使うことができないという問題点がある。
さらには、インデックスカードにミシン目を加工する必要があるので、インデックスカードの製造コストが上昇してしまうという問題点もある。
加えて、このように改良されたインデックスカードであっても、表面側から裏面側に連続的に効率よく印字することができない。
【０００９】
そこで、本発明は上記の問題点に鑑みてなされたものであって、ワープロやパソコンのプリンタを用いて、前記幅狭部および前記幅広部の全面にわたって印字することができる等の使い勝手の優れたインデックスカード付きケースを提供することを目的とするものである。
【００１０】
【課題を解決するための手段】
本発明の前記目的は、厚み方向に延びる第１の内壁面と該第１の内壁面に直交する第２の内壁面と該第２の内壁面に対向して平行に延びる第３の壁面とを有し磁気記録媒体を収納するケースと、前記ケースの内側に折り曲げられた状態で装着される矩形状の展開形状を有するインデックスカードとを備えたインデックスカード付きケースであって、前記インデックスカードが、前記ケースの第１の内壁面に沿う第１の幅狭部と、前記ケースの第２の内壁面に沿う前記第１の幅狭部に連設された第１の幅広部と、前記第１の幅広部に対して前記第１の幅狭部とは反対側の端部に連設された第２の幅広部と、前記第２の幅広部に対して前記第１の幅広部とは反対側の端部に連設された第２の幅狭部とを備え、また、前記第３の壁面に沿う第３の幅狭部が、前記第１の幅狭部に対して前記第１の幅広部とは反対側の端部に連設されているとともに、第４の幅狭部が前記第２の幅狭部に対して前記第２の幅広部とは反対側の端部に連設され、前記第１の幅広部と前記第２の幅広部との境界線を折り曲げ線として折り曲げたときに、前記第２の幅広部が前記第１の幅広部に、かつ前記第２の幅狭部が前記第１の幅狭部にそれぞれ重なり合うように、かつ前記第３の幅狭部が前記第４の幅狭部と重なり合うように各部分を各境界線に沿って折り曲げて成り、前記第３の幅狭部が、隣接する前記第１の幅狭部と反対側の端部に折り曲げ部を連設し、該折り曲げ部がその境界線に沿って折り曲げられたとき、前記第４の幅狭部の外側端部を抱え込むように挟持することを特徴とするインデックスカード付きケースにより達成することができる。
【００１１】
また、前記折り曲げ線上にミシン目を設けた構成によっても前記目的を達成することができる。
【００１２】
なお、ここで言う磁気記録媒体とは、オーディオカセットやＶＴＲカセット等の音声や画像を収録する磁気テープカセット、あるいはコンピュータやワードプロセッサ等のデータを保存する磁気ディスクカートリッジ等を指すものである。
【００１３】
【実施態様】
本発明に係る磁気記録媒体収納ケース用のインデックスカードの実施態様を、添付した図面に基づいて以下に詳細に説明する。
ここで、図１は第１の実施態様のインデックスカードの全体斜視図、図２は図１に示すインデックスカードの裏側を示す全体斜視図、図３は図１に示すインデックスカードに印字した状態を示す展開図、図４は図１に示すインデックスカードに印字した状態を示す展開図、図５は本発明の第２の実施態様のインデックスカードの展開図、図６は図５に示すインデックスカードを磁気記録媒体収納ケースに取り付けた状態を示す側面図である。
【００１４】
第１の実施態様においては、図１に示すように、インデックスカード２０はコンパクトビデオテープカセットを収納する開閉型の収納ケース３０に用いられるものであって、側面視で略コ字状となるように折り曲げられている。
そして、前記収納ケース３０の厚み方向に延びる第１の壁面３３、この第１の壁面３３に直交して前記収納ケース３０の幅方向に延びる第２の壁面３４、およびこの第２の壁面３４に対向して平行に延びる第３の壁面３５にそれぞれ沿う各々の部分は、前記インデックスカード２０の折り曲げ線２７で折り返されて２重重ねとされている。
【００１５】
次に、図３を用いて、前記インデックスカード２０の展開形状について説明すると、前記インデックスカード２０は矩形状の外形を有するとともに、その一対の短辺に平行な境界線により６つの部分に区画されている。
図３に示すように前記収納ケース３０の第１の壁面３３に沿う第１の幅狭部２１、前記第２の壁面３４に沿う第１の幅広部２２、前記第３の壁面に沿う第３の幅狭部２５が設けられている。
そして、前記第１の幅広部２２に隣り合うように第２の幅広部２３と第２の幅狭部２４、および第４の幅狭部２６が連設されているが、これらの各部分は、前記折り曲げ線２７で折り曲げたときに、前記第２の幅広部２３が前記第１の幅広部２２に、第２の幅狭部２４が前記第１の幅狭部２１に、第４の幅狭部２６が第３の幅狭部２５に、それぞれ重なり合うようにされている。
【００１６】
したがって、ワープロやパソコンのプリンタを用いて前記インデックスカード２０に印字する際には、プリンタの紙押さえ機構および紙送り機構に前記第２の幅狭部２４および前記第４の幅狭部２６を支持させることができるので、前記第１の幅狭部２１から前記第１の幅広部２２および前記第２の幅広部２３にかけて、その紙面一杯に、かつ連続的に印字することができる。
そして、前記折り曲げ線２７で前記第１の幅広部２２と前記第２の幅広部２３の裏面同士が密着するように折り曲げた後に、図１に示すように略コ字形に折り曲げると、前記第１の幅狭部２１および前記第２の幅広部２２に印字した内容は前記収納ケース３０の外側から読むことができる。
また、図２に示すように、前記第２の幅広部２３に印字した内容は前記収納ケース３０の蓋体３２を開けた状態で読むことができるから、本実施態様の前記インデックスカード２０によれば、表側から裏面側に向かって連続的に印字することができることとなる。
【００１７】
なお、図４に示すように、前記第３の幅狭部２５から前記第１の幅狭部２１および前記第１の幅広部２２にかけて一杯に印字することができるとともに、前記第４の幅狭部２６から前記第２の幅狭部２４および前記第２の幅広部２３にかけて反対方向から一杯に印字することもできる。
また、前記インデックスカード２０は、その表面ばかりでなく裏面にも印字することができるから、従来のインデックスカードに比較すると２倍の情報量を印字することができることとなつて、磁気記録媒体に記録されている内容が変わった場合にも十分に対応することができる。
この場合、前記折り曲げ線２７に沿ってミシン目を加工することにより、不要となった部分を切り放すことができるようにしても良い。
【００１８】
以上のように、本実施態様の前記インデックスカード２０によれば、ワープロやパソコンのプリンタを用いてその紙面一杯に印字することができるから、磁気記録媒体に記録されている内容を多量にかつ美しく印字することができるばかりでなく、その表面側から裏面側にかけて連続的にかつ効率的に印字することができる。
【００１９】
本発明の第２の実施態様のインデックスカードは、図５に展開形状を示すように、上述したインデックスカード２０の第３の幅狭部２５の図示左方側の端部に矩形状の折り曲げ部４１を一体に連設したものである。
そして、図６に示すように、前記第３の幅狭部２５から前記第４の幅狭部２６にいたる部分を上述したようにコ字形形状に折り曲げるとともに、前記折り曲げ部４１を折り返すことにより、該折り曲げ部４１と前記第３の幅狭部２５とにより前記第４の幅狭部２６を挟持することができる。
これにより、例えば図６に示すように、前記第４の折り曲げ部２６の先端部分が前記第３の幅狭部２５から離れて垂れ下がったとしても、該折り曲げ部４１の誘い込み作用により、前記収納ケース３０の蓋体３２にビデオテープカセット５０を収納する際に、該ビデオテープカセット５０の前面部分が前記第４の折り曲げ部２６の先端部分に突き当たって収納することができなくなったりすることが無い。
【００２０】
前記各実施態様においては、ビデオテープカセットを収納する収納ケースに適用したインデックスカードについて述べたが、本発明はこれに限るものではなく、ブック型のビデオテープカセット用収納ケースや、さらにはオーディオ用の磁気テープカセットや磁気ディスクカートリッジ等の磁気記録媒体を収納する種々の収納ケースに適用することができるものである。
【００２１】
【発明の効果】
以上述べたように、本発明のインデックスカード付きケースは、第１の幅狭部および第１の幅広部に、第２の幅広部および第２の幅狭部を連設するとともに、第１の幅広部と第２の幅広部との境界線を折り曲げ線として折り曲げたときに第１の幅狭部と第２の幅狭部が、かつ第１の幅広部と第２の幅広部とがそれぞれ互いに重なり合うように構成したので、ワープロやパソコンのプリンタを用いて第１の幅狭部および第１の幅広部に印字する際には第２の幅広部および第２の幅狭部をプリンタの紙押さえ機構および紙送り機構に支持させることができる。
したがって、本発明のインデックスカード付きケースによれば、インデックスカードの紙面一杯に印字することができるから、磁気記録媒体に記録されている内容を多量にかつ美しく印字することができるばかりでなく、その表面側から裏面側にかけて連続的にかつ効率的に印字することができ、インデックスカード紙面を有効利用することができる。
また、本発明のインデックスカード付きケースのインデックスカードはカード中央領域の折り曲げ線で折り返すことにより従来のインデックスカードと同一の形状とすることができるから、磁気記録媒体を収納するケースに支障無く取り付けることができる。
したがって、本発明によれば、ワープロやパソコンのプリンタを用いて、その全面にわたって効率よく印字することができるインデックスカードを提供することができる。
更に、本発明によれば、一方の端部に設けた第４の折り曲げ部の先端部分が他方の端部を包み込むように折り返すことができるので、収納ケースのポケット部分にテープカセット（磁気記録媒体）を収納する際に、該テープカセットの前面部分がインデックスカードに引っ掛かるような状態が回避されて、カセット挿入性を向上することができる。
【図面の簡単な説明】
【図１】本発明に係る第１の実施態様のインデックスカードの全体斜視図である。
【図２】図１に示すインデックスカードの裏側を示す全体斜視図である。
【図３】図１に示すインデックスカードに印字した状態を示す展開図である。
【図４】図１に示すインデックスカードに印字した状態を示す展開図である。
【図５】本発明の第２の実施態様２におけるインデックスカードの展開図である。
【図６】図５に示すインデックスカードを収納ケースに装着した状態を示す側面図である。
【図７】従来のコ字状のインデックスカードの全体斜視図である。
【図８】従来のＬ字状のインデックスカードの全体斜視図である。
【図９】従来のインデックスカードの問題点を説明する展開図である。
【符号の説明】
２０、４０  インデックスカード
２１  第１の幅狭部
２２  第１の幅広部
２３  第２の幅広部
２４  第２の幅狭部
２５  第３の幅狭部
２６  第４の幅狭部
２７  折り曲げ線
３０  収納ケース
３１  ケース本体
３２  蓋体
４１  折り曲げ部
５０  ビデオテープカセット
【図１】
0003539576.tif 000002
【図２】
0003539576.tif 000003
【図３】
0003539576.tif 000004
【図４】
0003539576.tif 000005
【図５】
0003539576.tif 000006
【図６】
0003539576.tif 000007
【図７】
0003539576.tif 000008
【図８】
0003539576.tif 000009
【図９】
0003539576.tif 000010